(57)【特許請求の範囲】
【請求項１】
透明性を有する開口を備えたケースと、このケースに設けたブラケットに支持したモータと、このモータの出力軸に設けた取付軸に着脱自在に支持し、かつ前記ケースの開口の上方に位置するホルミシス効果を発揮できる天然の放射物質粒子を含有してなるガラス板と、このガラス板に付与した色彩とでなる六角形状のマイナスイオン発生プレートと、前記ブラケットの下側に設けた照明手段と、前記モータを駆動する、前記ケース内に設けた駆動源と、で構成し、前記マイナスイオン発生プレートを人体に間接的に設けるように前記ケース内に支持する構成としたマイナスイオン発生具。
【請求項２】
請求項１に記載のマイナスイオン発生具において、
前記色彩は、人体の臓器・各種病気治癒、又は健康維持に役立つ、赤、ピンク、オレンジ、黄、青緑、紫、白、グレーとする構成としたマイナスイオン発生具。
【発明の詳細な説明】
【技術分野】
【０００１】
本発明は、ホルミシス効果を発揮できるマイナスイオン発生具に関する。
【背景技術】
【０００２】
病理分野でなく、一般の市場において、放射物質粒子（低線量放射線原石粉末）を含有してなるガラス板、又は岩盤浴用の素材が、病気と、その予防に有効であることが知られるようになった。
【０００３】
そこで、これらに関する先行文献を、以下に説明する。
【０００４】
文献（１）は、特開２００３−２２５１０６の「マイナスイオン発生アクセサリー及びその製造方法」であり、この発明は、マイナスイオンの発生で、血液浄化、全身抵抗力の強化等を意図したガラス製のネックレス状のアクセサリーであり、その構造は、マイナスイオン発生用の放射線放出性鉱物粉末を均一に分散混合したガラスピースをネックレスとすることと、各ガラスピースの表面には、真珠様の光沢を有した真珠光沢コーティング層を設けることである。また、放射線放出性鉱物粉末の一例は、２〜１０重量％のトリウム鉱石粉砕物を含むセラミック粉末であって、セラミック粉末を、ガラスピース中に５〜１５重量％配合することが好ましい。この文献（１）は、身体の一部に、常時、接触することで、前記目的を達成することを意図するが、局部的なマイナスイオン効果であり、身体の特定部位、例えば、各種の臓器・皮膚、或いは感情の抑制と高揚等を達成することは期待できないものである。
【０００５】
また、文献（２）は、実用新案登録第３１３５００５号の「真珠アクセサリー」であり、この考案は、微量放射性物質を放出し、装飾性及び経済性に優れた、真珠を用いたアクセリーの提供を意図し、その構造は、炭酸カルシウム、リン酸カルシウム及びアパタイトの中から選択された少なくとも１種を主成分とする天然核物質、又は人工核物質中に、放射性物質を配合した放射性真珠と、炭酸カルシウム、リン酸カルシウム及びアパタイトの中から選択された少なくとも１種を主成分とする天然核物質、又は人工核物質でなる非放射性真珠と、交互に配した真珠アクセサリーであって、放射線ホルミシス効果を享受することで、例えば、細胞増殖の促進、免疫能の亢進、成長促進、寿命延長、疾病抑制、がん発生率や死亡率の低下等、種々の効果を享受することが期待できると考えられる。この文献（２）は、身体の一部に、常時、接触することで、前記目的を達成することを意図するが、文献（１）と同じような改良点を抱えていると考えられる。
【０００６】
さらに、文献（３）は、特開２００９−１２４５１の「ホルミシス複合材料の成形方法」であり、この発明は、放射線ホルミシス効果が期待できる複合樹脂成形品を、容易に成形でき、しかも高精度で成形品を製造できる製造方法の提供であり、その構造は、粉状の強化ホルミシス原石粉末原料を、熱可塑性樹脂のマトリックス樹脂に充填してなるホルミシス原石粉末複合素材を破砕し、ホルミシス原石粉末複合素材の破砕片を平面上又は所定の立体形状の面上に並べて加熱加圧し、密集一体化して所定の形状の複合樹脂成形品を製造するものであり、低線量放射線原石粉末が無機質粉末及び／又は繊維分とともにマトリックス中に均一分散し、低線量放射線のホルミシス原石に相当する作用効果を達成できる特徴がある。この文献（３）は、単なる低線量放射線原石粉末によるホルミシス効果に留まり、色彩との関係は皆無であり、このホルミシス効果と色彩の相乗効果は期待できない。
【０００７】
【特許文献１】特開２００３−２２５１０６
【特許文献２】実用新案登録第３１３５００５号
【特許文献３】特開２００９−１２４５１
【発明の概要】
【発明が解決しようとする課題】
【０００８】
前記文献（１）、（２）は、身体の一部に、常時、接触することで、前記目的を達成することを意図するが、局部的なマイナスイオン効果であり、身体の特定部位、例えば、各種の臓器・皮膚、或いは感情の抑制と高揚等を達成することは期待できないものである。そして、また、この文献（１）、（２）は、マイナスイオン効果に留まり、色彩との関係は皆無であり、このホルミシス効果と色彩の相乗効果は期待できない。
【０００９】
また、この文献（３）は、低線量放射線原石粉末によるホルミシス効果に留まり、色彩との関係は皆無であり、このホルミシス効果と色彩の相乗効果は期待できない。
【課題を解決するための手段】
【００１０】
請求項１の発明は、天然の放射物質粒子によるホルミシス効果と、色彩による色の効果とによる相乗効果を介して、人体（身体）の全ての臓器（心臓、腎臓、肝臓、胃等の内臓）・各種病気治癒（治療）、又は健康維持に役立たせること、また、気持ちの治癒と高揚を図ること、等を意図する。そして、また、この請求項１の発明は、ガラス板の形状と、光り（光線）の透過を介して、色彩の効果を、直接、身体の適所に付与することで、人体の全ての臓器・各種病気治癒、又は健康維持に役立たせること、また、気持ちの治癒と高揚を図ること、等を意図する。さらに、請求項１の発明は、ガラス板を適宜の速度で回転することで、ホルミシス効果と、色の効果とを、ランダムに、かつ最大限に発揮することを意図する。
【００１１】
請求項１は、透明性を有する開口を備えたケースと、このケースに設けたブラケットに支持したモータと、このモータの出力軸に設けた取付軸に着脱自在に支持し、かつ前記ケースの開口の上方に位置するホルミシス効果を発揮できる天然の放射物質粒子を含有してなるガラス板と、このガラス板に付与した色彩とでなる六角形状のマイナスイオン発生プレートと、前記ブラケットの下側に設けた照明手段と、前記モータを駆動する、前記ケース内に設けた駆動源と、で構成したマイナスイオン発生具である。
【００１２】
請求項２の発明は、請求項１の目的を達成することと、色の効果である、下記の特徴を図ることを意図する。
：  「赤」は、交感神経に作用し、臓器の働きをよくする。
：  「ピンク」は、若返り効果があり、肌にみずみずしさと張りを与える。また、顔や皮膚の柔らかさに役立つ。
：  「オレンジ」は、消化器の治癒と、鬱のように、ふさぎがちだった人におすすめ。
：  「黄色」は、内分泌系の治癒と、胃と耳の不調が気になっている人によい。
：  「青緑」は、神経の治癒と、声帯や甲状腺に影響を与え、癒す。
：  「紫」は、脳の治癒と、炎症・免疫システムの障害、神経のいらつき、頭痛に効果がある。
：  「白」は、風邪をひきやすい人、肺が弱い人によい。
：  「グレー」は、刺激が弱いので、癒し効果があり、グレーに囲まれているとそれ以上疲れることはない。
：  「金色」は、腸の働きを整え、下痢と便利を繰り返している人を改善する。
【００１３】
請求項２は、請求項１に記載のマイナスイオン発生具において、
前記色彩は、人体の臓器・各種病気治癒、又は健康維持に役立つ、赤、ピンク、オレンジ、黄、青緑、紫、白、グレーとする構成としたマイナスイオン発生具である。
【発明の効果】
【００２０】
請求項１の発明は、透明性を有する開口を備えたケースと、ケースに設けたブラケットに支持したモータと、モータの出力軸に設けた取付軸に着脱自在に支持し、かつケースの開口の上方に位置するホルミシス効果を発揮できる天然の放射物質粒子を含有してなるガラス板と、ガラス板に付与した色彩とでなる六角形状のマイナスイオン発生プレートと、ブラケットの下側に設けた照明手段と、モータを駆動する、ケース内に設けた駆動源と、で構成したマイナスイオン発生具である。
【００２１】
従って、請求項１は、天然の放射物質粒子によるホルミシス効果と、色彩による色の効果とによる相乗効果を介して、人体（身体）の全ての臓器・各種病気治癒、又は健康維持に役立たせること、また、気持ちの治癒と高揚が図れること、等の特徴がある。そして、また、この請求項１は、ガラス板の形状と、光り（光線）の透過を介して、色彩の効果を、直接、身体の適所に付与することで、人体の全ての臓器・各種病気治癒、又は健康維持に役立たせること、また、気持ちの治癒と高揚が図れること、等の実益がある。さらに、請求項１は、ガラス板を適宜の速度で回転することで、ホルミシス効果と、色の効果とを、ランダムに、かつ最大限に発揮できる利点がある。
【００２２】
請求項２の発明は、請求項１に記載のマイナスイオン発生具において、
色彩は、人体の臓器・各種病気治癒、又は健康維持に役立つ、赤、ピンク、オレンジ、黄、青緑、紫、白、グレーとする構成としたマイナスイオン発生具である。
【００２３】
従って、請求項２は、請求項１の目的を達成できることと、色の効果である、下記の特徴が達成できる。
：  「赤」は、交感神経に作用し、臓器の働きをよくする。
：  「ピンク」は、若返り効果があり、肌にみずみずしさと張りを与える。また、顔や皮膚の柔らかさに役立つ。
：  「オレンジ」は、消化器の治癒と、鬱のように、ふさぎがちだった人におすすめ。
：  「黄色」は、内分泌系の治癒と、胃と耳の不調が気になっている人によい。
：  「青緑」は、神経の治癒と、声帯や甲状腺に影響を与え、癒す。
：  「紫」は、脳の治癒と、炎症・免疫システムの障害、神経のいらつき、頭痛に効果がある。
：  「白」は、風邪をひきやすい人、肺が弱い人によい。
：  「グレー」は、刺激が弱いので、癒し効果があり、グレーに囲まれているとそれ以上疲れることはない。
：  「金色」は、腸の働きを整え、下痢と便利を繰り返している人を改善する。
【図面の簡単な説明】
【００３０】
【図１】マイナスイオン発生具の全体を示した断面模式図
【図２】図１のＡ−Ａ断面模式図
【図３】図１のＢ−Ｂ断面模式図
【図４】（ａ）〜（ｅ）は、マイナスイオン発生プレートにそれぞれの色彩を施した一例を示した平面図
【図５】マイナスイオン発生具の使用状態を示した模式図
【図６】マイナスイオン発生プレートの使用状態を示した模式図
【発明を実施するための形態】
【００３１】
図中１はケースで、このケース１は持ち手部１ａと首部１ｃ、スカート部１ｂで構成され、このスカート部１ｂの下端は開口２である。そして、このケース１は透孔性を有しており、光りの透過を許す構造である。但し、ケース１内に照明手段３を有する場合には、非透過性とする。この照明手段３は、光ファイバー、ＬＥＤ、電球等とする。この照明手段３が、ＬＥＤの例では、ケース１の収れん箇所の首部１ｃで、その内周面全体に、万遍なく設けることが望ましく、かつ後述するホルミシス効果が十分に発揮できる。尚、透過性と非透過性は、ケース１で区別することも可能であり、持ち手部１ａは非透過性で、スカート部１ｂは透過性として、人に優しい構造とか、全体を、透過性と非透過性とする構造、或いは、図示しないカバーで、透過性と非透過性とを区画する構造、等が考えられる。その一例は、使用の場所と、天候、各人の好み・健康状態・思考等を考えた上での選択である。
【００３２】
また、図中５は六角形状のマイナスイオン発生プレートで、このマイナスイオン発生プレート５は、セラミック粒子、天然の放射物質粒子を含有してなるガラス板で構成するとともに、このガラス板の全体に色彩６を施す。この色彩は、例えば、ピンク、オレンジ、黄、青緑、紫、白、グレー、銀、マゼンダー等である。そして、この銀は、神経を鎮め、直感を鋭くし、女性の魅力を高める。また、マゼンダーは、生殖器の治癒と機能の向上等に役立つ。尚、色彩６の一例を、図４の（ａ）〜（ｅ）に示す。
以上
【００３３】
そして、前記六角形状は、太陽光が六角形状を持った氷晶の屈折作用（又は反射作用）によって生じる現象である暈（ハロー）効果が期待できる。そして、このハローが見える角度によって、内暈，外暈，外接ハロー、又は環天頂アーク等と称し、それぞれの効果がある。そして、例えば、半径２２°に見られる内暈に接する横に伸びた楕円形の外接ハローは，太陽高度が低いときは上部や下部だけになる。この現象をタンジェントアークというが、これらの効果が、この形状から享受できると考えられる。さらに、この六角形状は、五行の基本である、文献（特開２００９−１９３０８０を参考とした）、例えば、基礎から学ぶ実践四柱推命学（発行所：知道出版  著者：山田凰聖  発行日：２００４年４月２５日）か、萬年暦（発行者：三木照山推命学研究会  著者：三木照山  発行日：平成１４年５月）によれば、四柱推命では、「世の中の森羅万象すべてのものは、『陰』と『陽』に分けられ、「木」「火」「土」「金」「水」の五つから成り立っているという考え方を陰陽五行説と云われている。この「木」は、『陽』が［甲］、『陰』が［乙］に分けられことから、この「火」は、『陽』が［丙］、『陰』は「丁」に、「土」は『陽』が「戊」、『陰』は「己」に、「金」は、『陽』が［庚］、『陰』が［辛］に、「水」は、『陽』が［壬］、『陰』は［癸］に分けられる。五行が『陰』と『陽』に分かれて十干となる。一方、暦の十二支を『陰』と『陽』に分けると、『陽』は［子］［寅］［辰］［午］［申］［戌］、『陰』は、［丑］［卯］［巳］［未］［酉］［亥］となる。この十干と十二支の組合せを六十干支と云い、例えば、十干の［甲］と十二支の［子］が合わさって［甲子］となる。干支の組合せは、『陽』は『陽』どうし、『陰』は『陰』どうしの決まりがあり、本来百二十通り有るはずの組合せが、『陰』と『陽』の組合せが除外されているので、六十通りの組合せとなり、六十干支と呼ばれている。また、萬年暦では、六十干支であって、例えば［甲子］、［乙丑］、［丙寅］、［丁卯］、［戊辰］、［己巳］…………［辛酉］、［壬戌］、［癸亥］となる。尚、前記十干には夫々に色が振り分けられており、［甲］は濃い青、［乙］は薄い青、［丙］は濃い赤、「丁」は薄い赤、「戊」は濃い黄、［己］は茶、［庚］は白、［辛］は白（アイボリー）、［壬］は黒、［癸］は濃い緑であり、前記色彩６の一例に準ずる。尚、四柱推命を利用し、前記マイナスイオン発生プレート５の色彩６を選択して、運勢としての活用と、この色彩６による治癒効果等との相乗作用も可能である。
【００３４】
そして、このマイナスイオン発生プレート５は、取付け軸１０（出力軸１１００）を介して、回転自在に軸支されている。そして、この取付け軸１０には、ケース１の上部で、後述する光源の邪魔とならない箇所に設けた（光源の光りを、略１００％、マイナスイオン発生プレート５に与えるため）、回転装置となるモータ１１と、その出力軸１１００に連結されている。従って、この出力軸１１００の回転で、取付け軸１０が回転するとともに、この取付け軸１０の回転で、このマイナスイオン発生プレート５が適宜速度で緩やかに回転する構造である。尚、取付け軸１０の周辺には、図示しないが、軸受けを備えている。この取付け軸１０は、止め具１０ａを利用して、このマイナスイオン発生プレート５を自由に着脱できる構造として、このマイナスイオン発生プレート５を自由に交換できる構造とし、各人の好みと、病気治療、病気予防効果等を発揮できる構造とする。
【００３５】
図中１２は、ケース１の持ち手部１ａに設けたブラケット８で取付けた駆動源で、この一例では電池であるが、コードを介して電源（スイッチ１５）、又はバッテリーに接続することもあり得る。また、図中１３はコードで、このコード１３は、電池１２とモータ１、電池１２と証明手段３を繋ぐ。また、前記照明手段３より光りを、マイナスイオン発生プレート５の全体に照射することで、人体に広く、ホルミシス効果を与え得る特徴がある。さらに、図中１５は強弱のスイッチを示す。また、図中１６はケース１の持ち手部１ａに開閉自在に設けられた蓋部で、この蓋部１６の開閉で、駆動源１２の電池等を交換するか、故障に対応する。そして、図示しないが、タイマーを設け、使用時間を調整することも可能である。
【００３６】
このマイナスイオン発生具の使用の一例を説明すると、図５に示した例がある。この例では、心臓の治癒と、機能向上等を意図するものであり、マイナスイオン発生プレート５は、赤とする。そして、照明手段３を作用する（原則として、非透明性の場合であるが、限定されない）とともに、このマイナスイオン発生プレート５をモータ１１と出力軸１１００（回転装置）を介して回転することで、この赤の光りを、繰返し、かつランダムに照射する。この赤は、ケース１の開口２より、身体Ｈの心臓に到るとともに、セラミック粒子、天然の放射物質粒子とガラス体とにより、ホルミシス効果を、同時に心臓に至らしめる。この際に、照明手段３の光度の調整と、ガラス体とにより、ホルミシス効果、及び色彩６の照射時間・範囲等調整とを、個別か、又は総合的に調整することで、治癒の効果と、その予防と、機能回復に役立つことが考えられる。また、このマイナスイオン発生プレート５と光りによるホルミシス効果は、活性酵素を無毒害化する酵素群が増加すること（抗酸化作用）が知られている。
【００３７】
そして、図６は、このマイナスイオン発生プレート５を直接、又は、間接的等の方法で、人体Ｈに設け、各種の光を照射することで、簡易かつ自由に、ホルミシス効果を発揮する構造も可能である。
【００３８】
また、マイナスイオン発生プレート５の大きさを、例えば、大型の形状では、直径、６２８ｍｍ程度で、厚み、６．２８ｍｍ程度とし、小型の形状では、直径、３１４ｍｍ程度で、厚み、６．２８ｍｍ程度とし、前記六角形状と五行との宇宙の法則に則った構造とする。また、この寸法は、大型の構造では、治癒範囲の拡充と、持ち手部１ａを持っての操作の容易性と、持ち運び・収容等の容易化とを図る。さらに、小型の構造では、コンパクト性を利用し、何人においても持ち手部１ａを持っての操作の容易性と、持ち運び・収容等の容易化とを図る。
【００３９】
身体Ｈのその他の部位での使用は、前述の例に準ずる。そして、前述したように、ケース１が透孔性を有する場合には、照明手段３を使用しなくても（勿論、照明手段３の使用も有り得る）、前記の効果は期待できる。
【符号の説明】
【００４０】
１          ケース
１ａ        持ち手部
１ｂ        スカート部
１ｃ        首部
２          開口
３          照明手段
５          マイナスイオン発生プレート
６          色彩
８          ブラケット
１０        取付け軸
１０ａ      止め具
１１        モータ
１１００    出力軸
１２        駆動源
１３        コード
１５        スイッチ
１６        蓋部
Ｈ          身体
【図１】
0005552601.tif 000002
【図２】
0005552601.tif 000003
【図３】
0005552601.tif 000004
【図４】
0005552601.tif 000005
【図５】
0005552601.tif 000006
【図６】
0005552601.tif 000007